(57)【特許請求の範囲】
【請求項１】
エアポンプが格納される筐体に格納される、エアポンプ用の多層基板であって、
表面及び前記表面と反対側の裏面を有し、絶縁部材からなるコア層と、
前記コア層の前記表面側に配置され、熱伝導性を有する材料により形成される第一熱伝導層と、
前記第一熱伝導層に対して、熱伝導性及び絶縁性を有する材料からなる第一絶縁層を介して配置されると共に、熱伝導性及び導電性を有する材料により形成され、電子部品に接続される第一配線層と、
前記コア層の前記裏面側に配置され、熱伝導性及び導電性を有する材料から形成される第二配線層と、
前記コア層の前記裏面側の最外層として形成されると共に、前記第二配線層に対して、熱伝導性及び絶縁性を有する材料からなる第二絶縁層を介して配置され、熱導電性を有する材料により形成される第二熱伝導層と、
前記第一絶縁層、第一熱伝導層、及び前記コア層を貫通すると共に、前記第一配線層と前記第二配線層とを熱的及び電気的に接続する第一接続部と、
前記コア層、前記第二配線層、及び第二絶縁層を貫通すると共に、前記第一熱伝導層と前記第二熱伝導層とを熱的に接続する第二接続部と、
周面にネジ溝が形成されたネジ孔を有する固定部と、
を備え、
前記第一接続部は、前記コア層、前記第一熱伝導層、前記第一配線層、前記第二配線層、及び前記第二熱伝導層が積層されている積層方向から見た平面視において、前記電子部品を挟むよう配置されており、
前記第二熱伝導層は、
前記平面視において前記第一配線層に接続された前記電子部品と重なる領域、かつ前記平面視において前記第一接続部に挟まれる領域に配置され、レジストが塗布されていない熱パッドと、
前記平面視において前記熱パッドに対し前記第一接続部を挟むように配置され、前記レジストが塗布されている吸収層と、
を有し、
前記筐体において前記エアポンプが格納される領域側に凸となる凸部と前記熱パッドとが接触するように、かつ前記筐体と前記吸収層とが離隔するように、前記凸部と前記固定部とがネジによって固定されている、エアポンプ用の多層基板。
【請求項２】
前記平面視において、前記第一熱伝導層は、前記電子部品と重なるように配置されている、請求項１記載のエアポンプ用の多層基板。
【請求項３】
前記平面視において、前記第一熱伝導層は、前記電子部品のうち発信素子及び／又はマイコンとは重ならないように配置されている、請求項１又は２記載のエアポンプ用の多層基板。
【請求項４】
請求項１〜３の何れか一項記載のエアポンプ用の多層基板と、
前記エアポンプ用の多層基板における前記第一配線層に電気的に接続された状態で配置される電子部品と、を備える、エアポンプ用の電子回路基板。
【発明の詳細な説明】
【技術分野】
【０００１】
本発明は、エアポンプ用の多層基板及びエアポンプ用の電子回路基板に関する。
【背景技術】
【０００２】
基板上にパワートランジスタや整流ダイオード等の発熱素子を含む電子部品が実装された電子回路基板がある。このような電子回路基板では、発熱素子に発生する熱の放熱性を高めることが行われている。特許文献１には、これらの発熱素子に、放熱フィン（ヒートシンク）を取り付けたり、電子回路基板を搭載する装置（以下、「対象装置」とも称する。）の筐体等に直接接触させたりすることにより放熱性を向上させることが記載されている。
【先行技術文献】
【特許文献】
【０００３】
【特許文献１】特開２０００−２９９５６４号公報
【発明の概要】
【発明が解決しようとする課題】
【０００４】
しかしながら、発熱素子に放熱フィンを取り付ける放熱方法では、電子回路基板全体のサイズが大きくなり、対象装置の筐体等に格納できなくなる場合がある。一方、対象装置の筐体等に発熱素子を直接接触させる放熱方法では、組付時において、筐体に電子回路基板を接触させるための調整に手間を要し、作業性に劣る。また、発熱素子における極性と筐体における極性との違い等によりモールド等の処理を施さなければならない場合もあり、この場合には放熱性に劣る。
【０００５】
そこで、本発明の目的は、放熱性を向上させると共に、エアポンプへの取り付け時の作業性を向上させることができるエアポンプ用の多層基板及びエアポンプ用の電子回路基板を提供することにある。
【課題を解決するための手段】
【０００６】
本発明のエアポンプ用の多層基板は、エアポンプが格納される筐体に格納される、エアポンプ用の多層基板であって、表面及び表面と反対側の裏面を有し、絶縁部材からなるコア層と、コア層の表面側に配置され、熱伝導性を有する材料により形成される第一熱伝導層と、第一熱伝導層に対して、熱伝導性及び絶縁性を有する材料からなる第一絶縁層を介して配置されると共に、熱伝導性及び導電性を有する材料により形成され、電子部品に接続される第一配線層と、コア層の裏面側に配置され、熱伝導性及び導電性を有する材料から形成される第二配線層と、コア層の裏面側の最外層として形成されると共に、第二配線層に対して、熱伝導性及び絶縁性を有する材料からなる第二絶縁層を介して配置され、熱導電性を有する材料により形成される第二熱伝導層と、第一絶縁層、第一熱伝導層、及びコア層を貫通すると共に、第一配線層と第二配線層とを熱的及び電気的に接続する第一接続部と、コア層、第二配線層、及び第二絶縁層を貫通すると共に、第一熱伝導層と第二熱伝導層とを熱的に接続する第二接続部と、周面にネジ溝が形成されたネジ孔を有する固定部と、を備え、第一接続部は、コア層、第一熱伝導層、第一配線層、第二配線層、及び第二熱伝導層が積層されている積層方向から見た平面視において、電子部品を挟むよう配置されており、第二熱伝導層は、平面視において第一配線層に接続された電子部品と重なる領域、かつ平面視において第一接続部に挟まれる領域に配置され、レジストが塗布されていない熱パッドと、平面視において熱パッドに対し第一接続部を挟むように配置され、レジストが塗布されている吸収層と、を有し、筐体においてエアポンプが格納される領域側に凸となる凸部と熱パッドとが接触するように、かつ筐体と吸収層とが離隔するように、凸部と固定部とがネジによって固定されている。
【０００７】
本発明のエアポンプ用の電子回路基板は、上記のエアポンプ用の多層基板と、エアポンプ用の多層基板における第一配線層に電気的に接続された状態で配置される電子部品と、を備える。
【０００８】
この構成のエアポンプ用の多層基板及びエアポンプ用の電子回路基板によれば、電子部品の発熱素子において発生した熱は、第一配線層及び第一接続部を介して第二配線層に伝熱されると同時に、第一絶縁層を介して第一熱伝導層に伝熱される。すなわち、第一接続部に加えてもう一つの伝熱経路が形成されるので、放熱性を向上させることができる。更に詳細には、第一絶縁層を介して第一熱伝導層に伝熱された熱は、基板全体に拡散され放熱されると共に、第二接続部を介してコア層の裏面側の最外層に形成された第二熱伝導層に伝熱される。また、第一接続部を介して第二配線層に伝熱された熱は、第二絶縁層を介して第二熱伝導層に伝熱される。そして、第二熱伝導層は、電子部品が配置されている側とは反対側の最外層として形成されているので、筐体等に直接接触させることが容易である。すなわち、このエアポンプ用の多層基板では、放熱性を向上させるためのエアポンプへの取り付けが容易となる。このような結果、放熱性を向上させると共に、エアポンプへの取り付け時の作業性を向上させることができる。
【０００９】
本発明のエアポンプ用の多層基板では、第二熱伝導層には、エアポンプが有する筐体に伝熱可能に固定するための固定部が設けられていてもよい。
【００１０】
この構成のエアポンプ用の多層基板では、エアポンプを筐体に取り付けることがより一層容易に可能になるので作業性が向上する。
【００１１】
本発明のエアポンプ用の多層基板では、上記の平面視において、第一熱伝導層は、電子部品と重なるように配置されていてもよい。
【００１２】
この構成のエアポンプ用の多層基板では、電子部品において発生した熱が第一熱伝導層に効果的に伝導されるようになるので、放熱性能をより一層向上させることができる。
【００１３】
本発明のエアポンプ用の多層基板では、上記の平面視において、第一熱伝導層は、電子部品のうち発信素子及び／又はマイコンとは重ならないように配置されていてもよい。
【００１４】
電子部品の中には、熱による影響を受けやすいものがある。このような電子部品に対しては、できるだけ熱を伝えないようしたいという要望がある。この構成のエアポンプ用の多層基板では、第一熱伝導層から第一絶縁層を介して伝熱されることを抑制できるので、電子部品が熱により与えられる影響を抑制することができる。
【発明の効果】
【００１５】
放熱性を向上させると共に、対象装置への取り付け時の作業性を向上させることができる。
【図面の簡単な説明】
【００１６】
【図１】一実施形態の多層基板を表面側から見た平面図である。
【図２】一実施形態の多層基板の断面図である。
【図３】図２の多層基板における第一熱伝導層を表面側から見た平面図である。
【図４】図２の多層基板における第二配線層を裏面側から見た平面図である。
【図５】図２の多層基板における第二熱伝導層を裏面側から見た平面図である。
【図６】一実施形態の電子回路基板と筐体との取付構造を示した断面図である。
【発明を実施するための形態】
【００１７】
以下、図面を参照して一実施形態に係る多層基板２０を含む電子回路基板１について説明する。図面の説明において、同一要素には同一符号を付し、重複する説明を省略する。図面の寸法比率は、説明のものと必ずしも一致していない。図１及び図３〜図５においては、第一接続部４３及び第二接続部４５は、ＩＩ−ＩＩ断面により図示される（図２）ＭＯＳＦＥＴ１１周辺を除き、図示を省略している。
【００１８】
本実施形態の電子回路基板１は、例えば、エアポンプ（対象装置）の各種制御処理を実行するポンプ駆動用ドライバであり、エアポンプの筐体９１（図６参照）に取り付けられる。図１及び図２に示されるように、電子回路基板１は、表面２０ａ及び裏面２０ｂを有する多層基板２０と、多層基板２０の表面２０ａ上に搭載された電子部品群１０と、を備えている。
【００１９】
電子部品群１０は、主に、四つのＭＯＳＦＥＴ（metal-oxide-semiconductor  field-effect  transistor）１１，１２，１３，１４と、ＤＣ２４Ｖダイオード１５と、ドライバ１６と、マイコン及び発信素子（水晶）１７と、を有している。ＭＯＳＦＥＴ１１，１２，１３，１４及びダイオード１５は、通電により発熱する発熱素子を有している。
【００２０】
図２に示されるように、多層基板２０は、コア層５１と、第一熱伝導層３１と、第一配線層２３と、第二配線層６１と、第二熱伝導層７１と、を備える積層基板である。コア層５１は、絶縁性を有する樹脂により形成されている。
【００２１】
第一熱伝導層３１は、コア層５１の表面５１ａに形成され、熱伝導性を有する材料（例えば、銅箔）により形成されている。図３に示されるように、本実施形態の第一熱伝導層３１は、コア層５１の表面５１ａ及び裏面５１ｂに直交する方向から見た平面視（以下、単に「平面視」と称する。）において、マイコン及び発信素子１７と重なる部分３１Ａ（以下、「開口部３１Ａ」とも称する。）を除き、コア層５１の表面５１ａ全面に配置されている。平面視において開口部３１Ａのサイズは、マイコン及び発信素子１７のサイズと同一又はマイコン及び発信素子１７のサイズよりも一回り大きくなるように形成されている。
【００２２】
図１及び図２に示されるように、第一絶縁層２１は、コア層５１の表面５１ａ側に配置され、第一熱伝導層３１を覆うように形成されている。本実施形態では、平面視において、第一絶縁層２１は、コア層５１の表面５１ａ全面に形成されている。第一絶縁層２１は、熱伝導性及び絶縁性を有する材料からなる。熱伝導性及び絶縁性を有する材料の例は、エポキシ樹脂等のプリプレグ樹脂である。プリプレグ樹脂には、アルミナやシリカ等の電気絶縁性かつ放熱性に優れたフィラーが含有されてもよい。本実施形態においては、電子部品１１〜１７が配置される第一配線層２３と第一熱伝導層３１との間の熱伝導性を高めるためのフィラーが含有されていることが好ましい。
【００２３】
第一配線層２３は、第一熱伝導層３１に対して、上記第一絶縁層２１を介して配置されると共に、電子部品群１０が接続される導体パターンが形成される。なお、図１においては、詳細な導体パターンについては、図示を省略している。第一配線層２３は、熱伝導性及び導電性を有する材料（例えば、銅又はアルミニウム）からなり、その表面は、レジストが塗布されている。第一配線層２３には、前述したレジストが塗布されておらず、電子部品１１〜１７のそれぞれが搭載されるランドと、電子部品のリードが挿入されるパッド等と、が含まれる。電子部品１１〜１７のそれぞれと第一配線層２３とは電気的に接続される。例えば、電子部品１１〜１７は、前述したレジストが塗布されていない第一配線層２３におけるパッド部分に、直接ハンダ付けがなされることにより、第一配線層２３に対して電気的に接続される。
【００２４】
図４に示されるように、第二配線層６１は、コア層５１の裏面５１ｂに形成され、第一配線層２３に接続される電子部品群１０の配置に応じて導体パターンが形成されている。第二配線層６１は、熱伝導性及び導電性を有する材料（例えば、銅又はアルミニウム）により形成されている。なお、図４では、各電子部品を接続する経路については、図示を省略している。
【００２５】
図２に示されるように、第二絶縁層８１は、コア層５１の裏面５１ｂ側に配置されており、第二配線層６１を覆うように形成されている。本実施形態では、平面視において、第二絶縁層８１は、コア層５１の裏面５１ｂ全面に形成されている。第二絶縁層８１は、熱伝導性及び絶縁性を有する材料からなる。熱伝導性及び絶縁性を有する材料の例は、エポキシ樹脂等のプリプレグ樹脂である。プリプレグ樹脂には、アルミナ又はシリカ等の電気絶縁性かつ放熱性に優れたフィラーが含有されてもよい。本実施形態においては、第二配線層６１と第二熱伝導層７１との間の熱伝導性を高めるためのフィラーが含有されていることが好ましい。
【００２６】
図２及び図５に示されるように、第二熱伝導層７１は、コア層５１の裏面５１ｂ側の最外層として形成される。また、第二熱伝導層７１は、各電子部品の端子を半田により固定するための面でもある。本実施形態では、第二熱伝導層７１は、平面視において、コア層５１の裏面５１ｂ全面に配置されている。第二熱伝導層７１は、第二配線層６１に対して、第二絶縁層８１を介して配置され、熱導電性を有する材料（例えば、銅又はアルミニウム）により形成されている。当該第二絶縁層８１は、銅めっき処理がなされていてもよい。第二熱伝導層７１は、レジストが塗布される吸収層７１Ａとレジストが塗布されていない熱パッド７１Ｂとを有している。なお、レジストが塗布されていない熱パッド７１Ｂは、熱導電性を有する銅箔等の第二熱伝導層７１は、金メッキ処理又はハンダペーストが塗布されていてもよい。これにより、第二熱伝導層７１の酸化を防止できる。
【００２７】
熱パッド７１Ｂは、レジストが塗布されていない分、吸収層７１Ａよりも放熱効果が高い。このため、熱パッド７１Ｂは、平面視において、放熱性を高めたい位置、すなわち、より高い熱量を発生する発熱素子が配置された位置と重なる位置に配置されることが好ましい。本実施形態では、平面視においてＭＯＳＦＥＴ１１，１２，１３，１４と重なる位置に配置されている。熱パッド７１Ｂは、平面視におけるＭＯＳＦＥＴ１１，１２，１３，１４及びダイオード１５の面積以上あることが好ましい。
【００２８】
第一接続部４３は、第一絶縁層２１、第一熱伝導層３１、及びコア層５１を貫通すると共に、第一配線層２３と第二配線層６１とを熱的及び電気的に接続する。第一接続部４３は、第一絶縁層２１、第一熱伝導層３１、及びコア層５１を厚さ方向に貫通する貫通孔４３ａの壁面に銅等の貫通電極４３ｂが形成されている。
【００２９】
第二接続部４５は、コア層５１、第二配線層６１、及び第二絶縁層８１を貫通すると共に、第一熱伝導層３１と第二熱伝導層７１とを熱的に接続する。第二接続部４５は、コア層５１、第二配線層６１、及び第二絶縁層８１を厚さ方向に貫通する貫通孔４５ａの壁面に銅等の貫通電極４５ｂが形成されている。
【００３０】
図６に示されるように、第二熱伝導層７１における熱パッド７１Ｂには、エアポンプの筐体９１に固定するための固定部７７が形成されている。具体的には、固定部７７は、第二熱伝導層７１、第二絶縁層８１、及び第二配線層６１を貫通する貫通孔７７ａと、コア層５１に形成され、周面にネジ溝が形成されたネジ孔７７ｂと、を有している。
【００３１】
筐体９１は、アルミダイキャストである。筐体９１は、電子回路基板１を固定する位置として、ポンプ及び電子回路基板１が格納される領域側に凸となる被固定部９３が形成されている。被固定部９３には、固定用のネジ９７を挿通する挿通孔９３ａが形成されている。電子回路基板１は、ネジ９７によって筐体９１に取り付けられる。詳細には、筐体９１の外側から挿通孔９３ａに挿通されるネジ９７が、固定部７７にねじ込まれることにより、熱パッド７１Ｂが筐体９１に接触するような状態で固定される。
【００３２】
次に、電子部品の電力供給方法及び熱交換の方法について詳細に説明する。放熱電極がＶＤＤの場合、ダイオード１５からの出力（放電電極）は、図１及び図４に示されるように、ダイオード１５直下の第一配線層２３であるランド２３Ａから第一接続部４３を介して第二配線層６１のダイオードエリア６１ＥへＤＣ２４Ｖが出力される。また、ダイオード１５において発生する熱は、電力の出力と同様に、ダイオード１５直下の第一配線層２３であるランド２３Ａから第一接続部４３における熱伝導を利用して第二配線層６１のダイオードエリア６１Ｅへ放熱される。
【００３３】
一方、ダイオード１５と同じ、放電電極がＶＤＤのＭＯＳＦＥＴ１１（ＭＯＳＦＥＴ１２）は、第二配線層６１のＭＯＳＦＥＴエリア６１Ａ（ＭＯＳＦＥＴエリア６１Ｂ）から第一接続部４３及び第一配線層２３のＭＯＳＦＥＴ１１（ＭＯＳＦＥＴ１１）直下のランド２３Ａ（ランド２３Ｂ）を経由して電力の供給を受ける。また、ＭＯＳＦＥＴ１１（ＭＯＳＦＥＴ１２）において発生する熱は、第一配線層２３におけるＭＯＳＦＥＴ１１（ＭＯＳＦＥＴ１２）直下のランド２３Ａ（ランド２３Ｂ）から第一接続部４３における熱伝導を利用して第二配線層６１のＭＯＳＦＥＴエリア６１Ａ（ＭＯＳＦＥＴエリア６１Ｂ）へ放熱される。
【００３４】
また、放熱電極がポンプの駆動出力電圧のＭＯＳＦＥＴ１３及びＭＯＳＦＥＴ１４の場合、ＭＯＳＦＥＴ１３及びＭＯＳＦＥＴ１４のそれぞれにおいて発生した熱を放熱する第二配線層６１のエリアとして、ＭＯＳＦＥＴエリア６１Ｃ及びＭＯＳＦＥＴエリア６１Ｄがそれぞれ設けられている。ＭＯＳＦＥＴ１３（ＭＯＳＦＥＴ１４）において発生した熱は、第一配線層２３におけるＭＯＳＦＥＴ１３（ＭＯＳＦＥＴ１４）直下のランド２３Ｃ（ランド２３Ｄ）から第一接続部４３における熱伝導を利用して第二配線層６１のＭＯＳＦＥＴエリア６１Ｃ（ＭＯＳＦＥＴエリア６１Ｄ）へ放熱している。
【００３５】
上記に説明したとおり、第二配線層６１には、ＶＤＤ系統及び駆動出力系統の２種類の熱が伝熱されることになる。本実施形態では、第二配線層６１に対してプリプレグ材により形成された第二絶縁層８１を介して第二熱伝導層７１が配置されている。第二配線層６１に伝熱された熱は、当該第二絶縁層８１によって絶縁状態が維持されつつ、第二熱伝導層７１へ伝熱される。
【００３６】
本実施形態では、第一配線層２３に対してプリプレグ材により形成された第一絶縁層２１を介して第一熱伝導層３１が配置されている。第一配線層２３に伝熱された熱は、当該第一絶縁層２１によって絶縁状態が維持されつつ、第一熱伝導層３１へ伝熱される。第一熱伝導層３１である銅箔は、熱の影響を受けやすいマイコン及び発信素子１７の直下を除いて、熱が多層基板２０全体に拡散するように多層基板２０全面に配置されている。また、互いに絶縁されている第一熱伝導層３１と第二熱伝導層７１とは、第二接続部４５によって接続されている。第一熱伝導層３１が吸収した熱は、第二接続部４５の熱伝導を利用して第二熱伝導層７１へ放熱される。すなわち、第一配線層２３から熱交換によって吸収された第一熱伝導層３１の熱は、多層基板２０全体へ拡散されると共に、第二接続部４５によって第二熱伝導層７１へ放熱される。なお、互いに絶縁されている第一熱伝導層３１と第二熱伝導層７１とは、ポンプの筐体９１と接続されて同電位となる（ポンプＧＮＤ）。
【００３７】
第二熱伝導層７１は、ほぼ全面が上記ポンプＧＮＤ電位の銅箔が配置されている。これにより、多層基板２０の裏面２０ｂのどの部分からでも熱伝導性の良い物質と密着させれば放熱が可能となる。本実施形態では、特にＭＯＳＦＥＴ１１〜１４の直下に熱パッド(銅又は金メッキ)が配置されているので、熱源となる発熱素子から最短でポンプの筐体９１へ放熱できる放熱ルートが形成される。また、固定部７７（基板固定穴）が熱パッド７１Ｂ内又はその周辺に設けられ、図６に示されるポンプの筐体９１にネジねじ止めされている。これにより、熱パッド７１Ｂと筐体９１との密着性を高めて放熱性を上げるとともに、ポンプ装置への電子回路基板１の取り付けを容易に完了することができる。
【００３８】
上記実施形態の電子回路基板１によれば、ＭＯＳＦＥＴ１１〜１４及びダイオード１５の発熱素子において発生した熱は、第一配線層２３及び第一接続部４３を介して第二配線層６１に伝熱されると同時に、第一絶縁層２１を介して第一熱伝導層３１に伝熱される。すなわち、第一接続部４３に加えてもう一つの伝熱経路が形成されるので、放熱性を向上させることができる。また、第一絶縁層２１を介して第一熱伝導層３１に伝熱された熱は、多層基板２０全体に拡散され放熱されると共に、第二接続部４５を介してコア層５１の裏面５１ｂ側の最外層に形成された第二熱伝導層７１に伝熱される。また、第一接続部４３を介して第二配線層６１に伝熱された熱は、第二絶縁層８１を介して第二熱伝導層７１に伝熱される。すなわち、発熱素子において発生した熱は、第一熱伝導層３１と第二配線層６１とにそれぞれ分岐されて伝熱されたとしても、その一部の熱は第二熱伝導層７１に集約される。そして、第二熱伝導層７１は、電子部品群１０が配置されている側とは反対側の最外層として形成されているので筐体９１等に直接取り付けることが容易である。すなわち、この電子回路基板１では、ポンプへの取り付け時の作業性を向上させることができる。このような結果、放熱性を向上させると共に、ポンプへの取り付け時の作業性を向上させることができる。
【００３９】
上記実施形態の電子回路基板１によれば、第二熱伝導層７１の熱パッド７１Ｂには、ポンプが有する筐体９１に伝熱可能に固定するための固定部７７が設けられているので、ポンプ装置の筐体９１に取り付けることがより一層容易に可能になる。
【００４０】
上記実施形態の電子回路基板１によれば、第一熱伝導層３１は、平面視において、電子部品群１０（ＭＯＳＦＥＴ１１〜１４、ダイオード１５、及びドライバ１６）と重なるように配置されている。これにより、電子部品群１０のそれぞれにおいて発生した熱が第一熱伝導層３１に効果的に伝導されるようになるので、放熱性能をより一層向上させることができる。
【００４１】
上記実施形態の電子回路基板１によれば、第一熱伝導層３１は、平面視において、マイコン及び発信素子１７とは重ならないように配置されている。これにより、第一熱伝導層３１から第一絶縁層２１を介して伝熱されることを抑制できるので、マイコン及び発信素子１７が熱により与えられる影響を抑制することができる。
【００４２】
以上、一実施形態について説明したが、本発明は、上記実施形態に限られるものではなく、発明の趣旨を逸脱しない範囲で種々の変更が可能である。
【００４３】
上記実施形態では、コア層５１の表面５１ａの直上に第一熱伝導層３１が配置される例を挙げて説明したが、本発明はこれに限定されない。例えば、コア層５１の表面５１ａの直上には、電子部品群１０に電力を供給する導体パターンが形成された配線層が形成されていてもよい。この場合には、当該配線層に対して絶縁層を介して第一熱伝導層が配置されてもよい。なお、このような配線層は、一層だけでなく複数層形成されてもよい。また、上記のように配線層が複数形成される場合には、第一熱伝導層は、これらの配線層に絶縁状態が維持された状態で挟み込まれるように配置されてもよい。
【００４４】
上記実施形態では、第一熱伝導層３１は、１層のみ配置される例を挙げて説明したが、本発明はこれに限定されず、例えば、連続する複数の層として形成されてもよい。
【００４５】
上記実施形態では、コア層５１の裏面５１ｂの直上に第二配線層６１が配置される例を挙げて説明したが、本発明はこれに限定されない。例えば、コア層５１の裏面５１ｂの直上には、第一熱伝導層３１から接続部を介して伝熱可能な熱伝導層が設けられてもよい。この場合には、当該熱伝導層に対して絶縁層を介して第二配線層６１が配置されてもよい。
【００４６】
上記実施形態では、第一接続部４３は、第一絶縁層２１、第一熱伝導層３１、及びコア層５１を厚さ方向に貫通する貫通孔４３ａの壁面に銅等の貫通電極４３ｂが形成されている例を挙げて説明したが、貫通孔４３ａの内部には、充填材が充填されてもよい。なお、充填材の例は、樹脂、セラミック、又は金属等であり、例えば、エポキシ樹脂である。同様に、第二接続部４５は、コア層５１、第二配線層６１、及び第二絶縁層８１を厚さ方向に貫通する貫通孔４５ａの壁面に銅等の貫通電極４５ｂが形成されている例を挙げて説明したが、貫通孔４５ａの内部には、充填材が充填されてもよい。なお、充填材の例は、樹脂、セラミック、又は金属等であり、例えば、エポキシ樹脂である。
【００４７】
上記実施形態では、第二熱伝導層７１として、互いに熱伝導率が異なる吸収層７１Ａと熱パッド７１Ｂとを配置する例を挙げて説明したが、どちらか一方が多層基板２０の裏面２０ｂ全体に配置されていてもよい。
【００４８】
上記実施形態では、発熱素子を有する電子部品の例として、ＭＯＳＦＥＴ、ダイオード等を例に挙げて説明したが、ＭＯＳＦＥＴ以外のパワー素子、ＬＥＤ（Light  Emitting  Diode）、通電により発熱するアンプ等が配置されてもよい。
【００４９】
以上説明した種々の実施形態及び変形例は、本発明の趣旨を逸脱しない範囲で種々、組み合わせられてもよい。
【符号の説明】
【００５０】
１…電子回路基板、１０…電子部品群、１１〜１４…ＭＯＳＦＥＴ（電子部品）、１５…ダイオード（電子部品）、１６…ドライバ（電子部品）、１７…マイコン及び発信素子（電子部品）、２０…多層基板、２１…第一絶縁層、２３…第一配線層、３１…第一熱伝導層、４３…第一接続部、４５…第二接続部、５１…コア層、５１ａ…表面、５１ｂ…裏面、６１…第二配線層、７１…第二熱伝導層、７１Ａ…吸収層、７１Ｂ…熱パッド、７７…固定部、８１…第二絶縁層、９１…筐体。
【図１】
0006652844.tif 000002
【図２】
0006652844.tif 000003
【図３】
0006652844.tif 000004
【図４】
0006652844.tif 000005
【図５】
0006652844.tif 000006
【図６】
0006652844.tif 000007